(57)【特許請求の範囲】
【請求項１】
増水時に地下道や建物等の構造物の出入口に堰状に立設して構造物内部への浸水を防止する防水板であって、該防水板の左右両端部内側面と底面とに水密ゴムを固着する一方、防水板上端部の左右両端には一対の防水板固定手段を備えて成り、該防水板固定手段は、防水板の長さ方向にスライド自在に備えた位置決め用のスライド部材と、該スライド部材に揺動自在に連結され前記出入口両側の門柱等のコーナー部壁面に沿って当接可能なように略Ｌ字形状に折曲形成した支持金具と、該支持金具の各折曲面をそれぞれが当接する前記コーナー部の各壁面に向けて押圧して圧着させる第一及び第二の押圧具とから成ることを特徴とする防水板。
【発明の詳細な説明】
【技術分野】
【０００１】
本発明は、台風や集中豪雨等による増水発生時に、地下道や建物等の構造物の出入口から構造物内部へ浸水するのを防止する防水板に関する。
【背景技術】
【０００２】
台風や集中豪雨等によって増水が発生すると、地下道や建物等の構造物の出入口の床面を水位が超えてしまう場合があり、その際には前記構造物内部が浸水するなどして甚大な被害を及ぼすおそれがある。そこで、このような事態に備えて、例えば、地下道や建物等の構造物の入口に浸水防止用の防水板を設置しているところもあり、このような防水板に関して本出願人も既に特許出願済みである（特許文献１参照）。
【０００３】
前記特許文献１に記載の発明にあっては、地下道や建物等の構造物の出入口の左右側壁に防水板ガイド用の溝部を有した溝付支柱を、出入口床面にはフラットな底板を予めそれぞれ配設しておき、増水発生時には別途保管しておいた防水板を前記溝付支柱へ差し込んで底板上に載置させた後、防水板に備えた固定用ハンドルにて溝付支柱へ固定して構造物の出入口に立設させる構成としている。なお、上記防水板では、底板に従来の溝付構造のものに代えてフラットな構造のものを採用していることにより、平常時の通行には何ら支障がなく、また底板上に砂やゴミ等が貯まるようなこともなく、メンテナンス性に優れたものとしている。
【先行技術文献】
【特許文献】
【０００４】
【特許文献１】特開２００３−２７８４５８号公報
【発明の概要】
【発明が解決しようとする課題】
【０００５】
ところで、このような従来の防水板にあっては、増水発生時に浸水が予測される地下道や建物等の構造物の出入口の左右側壁や床面に対し、防水板立設用の溝付支柱や底板を予め配設しておく必要があり、これらの設置工事にはそれなりの手間やコストを要するだけでなく、溝付支柱や底板の設置によって構造物の美観が損なわれる懸念もある。また、溝付支柱を配設する構造物の出入口の間口に応じて防水板の長さサイズが決まるため、汎用性が低くてコスト面で不利であった。
【０００６】
本発明は上記の点に鑑み、構造物の出入口の左右側壁や床面に溝付支柱や底板等を配設しなくても確実に立設できる上、間口の異なる出入口に対しても有効に設置可能な汎用性の高い防水板を提供することを課題とする。
【課題を解決するための手段】
【０００７】
上記の課題を解決するために、本発明に係る防水板では、増水時に地下道や建物等の構造物の出入口に堰状に立設して構造物内部への浸水を防止する防水板であって、該防水板の左右両端部内側面と底面とに水密ゴムを固着する一方、防水板上端部の左右両端には一対の防水板固定手段を備えて成り、該防水板固定手段は、防水板の長さ方向にスライド自在に備えた位置決め用のスライド部材と、該スライド部材に揺動自在に連結され前記出入口両側の門柱等のコーナー部壁面に沿って当接可能なように略Ｌ字形状に折曲形成した支持金具と、該支持金具の各折曲面をそれぞれが当接する前記コーナー部の各壁面に向けて押圧して圧着させる第一及び第二の押圧具とから成ることを特徴としている。
【発明の効果】
【０００８】
本発明に係る防水板によれば、防水板の左右両端部内側面と底面とに水密ゴムを固着する一方、防水板上端部の左右両端には一対の防水板固定手段を備えて成り、該防水板固定手段は、防水板の長さ方向にスライド自在に備えた位置決め用のスライド部材と、該スライド部材に揺動自在に連結され前記出入口両側の門柱等のコーナー部壁面に沿って当接可能なように略Ｌ字形状に折曲形成した支持金具と、該支持金具の各折曲面をそれぞれが当接する前記コーナー部の各壁面に向けて押圧して圧着させる第一及び第二の押圧具とから成るので、構造物の出入口への溝付支柱や底板の設置が不要となり、これらの設置工事に伴う手間やコストが削減できると共に、構造物の美観を損なうこともなく好適に浸水防止を図ることができる。また、構造物の出入口の間口が多少異なっても有効に設置でき、汎用性が高くてコスト面で有利である。
【図面の簡単な説明】
【０００９】
【図１】本発明に係る防水板の一実施例の正面図である。
【図２】図１の防水板固定手段部分の拡大図である。
【図３】図２の平面図である。
【図４】図２のＡ−Ａ断面図である。
【図５】図１の一部省略した斜視図である。
【発明を実施するための形態】
【００１０】
本発明に係る防水板にあっては、防水板の左右両端部内側面と底面とに水密ゴムを固着している一方、防水板上端部の左右両端には一対の防水板固定手段を備えている。前記防水板固定手段は、防水板の長さ方向にスライド自在に備えた位置決め用のスライド部材と、該スライド部材に揺動自在に連結され、構造物の出入口両側に設けられる門柱等のコーナー部壁面に沿って当接可能なように略Ｌ字形状に折曲形成した支持金具と、該支持金具の各折曲面をそれぞれが当接する前記コーナー部の各壁面に向けて押圧して圧着させる、例えば螺子体等の第一及び第二の押圧具とから構成している。
【００１１】
そして、台風や集中豪雨等による増水発生時に、地下道や建物等の構造物の出入口から構造物内部への浸水を防止するときには、先ず、前記防水板を出入口両側の門柱等の壁面に立て掛けるようにして仮置きする。そして、一対の防水板固定手段のスライド部材をそれぞれスライド調整し、略Ｌ字形状の支持金具が左右門柱のコーナー部壁面に当接するように位置決めする。次いで、その状態から支持金具の一方の折曲面を第一の押圧具にて、また他方の折曲面を第二の押圧具にてコーナー部壁面に向けてそれぞれ押圧して圧着させて固定し、防水板の設置作業を完了する。
【００１２】
このように、本発明の防水板によれば、地下道や建物等の構造物の出入口両側に設けられる門柱等のコーナー部壁面に対して防水板を直接取り付けることができるので、溝付支柱や底板等が不要となり、これらの設置工事に伴う手間やコストが削減できると共に、構造物の美観を損なうおそれもなく様々な構造物に対しても好適に採用することができる。また、構造物の出入口の間口が多少異なっても防水板固定手段のスライド部材にて柔軟に対応でき、防水板の長さサイズの種類が抑えられてコスト面において有利である。
【実施例】
【００１３】
以下、本発明の実施例を図面に基づいて説明する。
【００１４】
図中の１は地下道や建物等の構造物の出入口に堰状に立設して構造物内部への浸水を防止する防水板であって、長さサイズが約１〜２ｍ程度、高さサイズが約０．６ｍ程度のアルミ製の押し出し成形板材であり、例えば一人の作業者でも容易に持ち運び可能な程度の軽量なつくりとしている。また、前記防水板１の左右両端部の内側面（立設時に構造物の出入口側と向き合う面）と底面とにはそれぞれ水密ゴム２、３を固着している一方、防水板１上端部の左右両端には一対の防水板固定手段４を備えている。
【００１５】
前記防水板固定手段４は、防水板１の長さ方向にスライド自在に備えた位置決め用のスライド部材５と、該スライド部材５に揺動自在に連結され、構造物の出入口両側に設けられる、例えば門柱Ｇのコーナー部壁面Ｇ１、Ｇ２に沿って当接可能なように略Ｌ字形状に折曲形成した支持金具６と、該支持金具６の各折曲面６ａ、６ｂをそれぞれが当接する前記コーナー部の各壁面Ｇ１、Ｇ２に向けて押圧して圧着させる第一及び第二の押圧具７、８とを主体に構成している。
【００１６】
防水板１上面の左右両端には防水板１の長さ方向に沿って所定長さのガイド孔９を穿設し、該ガイド孔９に挿通させたボルト１０上端部を防水板１の上面に配したスライド部材５の上部へ貫通させ、その先端には操作レバー１１を固着している一方、ボルト１０下端部は防水板１内部へ突出させ、その先端に抜け止めを兼ねたナットプレート１２を螺着しており、前記操作レバー１１の回動操作に応じてナットプレート１２を締緩させてスライド部材５と防水板１との固定・解除操作を可能としている。そして、防水板１との固定を解除してスライド部材５をガイド孔９の長さ範囲内においてスライド調整した後、再び固定操作することによって容易にスライド部材５の位置決めを可能としている。
【００１７】
また、前記スライド部材５と支持金具６とはリンク材１３及びガイド金具１４を介して揺動自在に連結しており、リンク材１３の一端部をスライド部材５の一端に備えた軸受１５と回動自在に軸着している一方、リンク材１３の他端部はガイド金具１４と回動自在に軸着していると共に、支持金具６より突設した所定長さのガイドロッド１６を前記ガイド金具１４に遊嵌させ、支持金具６をガイド金具１４に対して水平方向（スライド部材５のスライド方向と略平行）にスライド自在に遊着している。
【００１８】
前記ガイド金具１４には遊着した支持金具６の一方（出入口の通路側に面した方）の折曲面６ａを押圧する螺子体等の第一の押圧具７を備えており、該第一の押圧具７の締め付け操作に伴い、支持金具６の一方の折曲面６ａを出入口の門柱Ｇの通路側のコーナー部壁面Ｇ１に向けて押圧して圧着させ、防水板１と門柱Ｇとを強固に固定させるようにしている。なお、支持金具６の折曲面６ａ、６ｂの内側表面には、ゴム製の当て板１７を固着して壁面との圧着性を高めている。
【００１９】
また、前記ガイド金具１４には傾斜状態にあるリンク材１３に沿わせて押圧具支持片１８を突設しており、該押圧具支持片１８に備えた第二の押圧具８の締め付け操作に伴いリンク材１３を斜め前方下向きに押圧し、それに連動させて支持金具６の他方（出入口の正面側に面した方）の折曲面６ｂを出入口の門柱Ｇの正面側のコーナー部壁面Ｇ２に向けて押圧して圧着させるようにしている。そして、それに伴わせて防水板１を前方下向きに押圧させ、防水板１の周縁部に固着した水密ゴム２、３をそれぞれ門柱Ｇの正面側のコーナー部壁面Ｇ２及び出入口床面Ｆに押圧して圧着させ、防水板１の水密を図りながら強固に固定させるようにしている。
【００２０】
そして、台風や集中豪雨等による増水発生時に、上記構成の防水板１を用いて地下道や建物等の構造物の出入口から構造物内部への浸水を防止するときには、先ず、前記防水板１を出入口両側の門柱Ｇの正面側のコーナー部壁面Ｇ２に立て掛けるようにして仮置きする。そして、一対の防水板固定手段４のスライド部材５をそれぞれ左右にスライドさせ、該スライド部材５に揺動自在に連結した略Ｌ字形状の支持金具６が、左右門柱Ｇのコーナー部壁面Ｇ１、Ｇ２に当接するように位置決めする。なお、この位置決め操作の時点では、防水板１と門柱Ｇとを強固に固定する必要はない。
【００２１】
次いで、その状態からガイド金具１４に備えた第一の押圧具７を締め付け操作して、支持金具６の一方の折曲面６ａを門柱Ｇの通路側のコーナー部壁面Ｇ１に押圧して圧着させて強固に固定する。一方、第二の押圧具８も締め付け操作して、リンク材１３を介して支持金具６の他方の折曲面６ｂを門柱Ｇの正面側のコーナー部壁面Ｇ２に押圧して圧着させ、それに伴わせて防水板１を前方下向き、即ち門柱Ｇの正面側のコーナー部壁面Ｇ２及び出入口床面Ｆに押圧し、防水板１の周縁部の水密ゴム２、３を押圧して防水板１の水密を図りつつ出入口に強固に固定させ、構造物の出入口への防水板１の設置作業を完了する。
【００２２】
このように、本発明の防水板１によれば、地下道や建物等の構造物の出入口両側に設けられる門柱Ｇのコーナー部壁面Ｇ１、Ｇ２に対して防水板１を直接取り付けることができるので、従来要していた溝付支柱や底板等が不要となり、これらの設置工事に伴う手間やコストが削減できると共に、構造物の美観を損なうおそれもなく様々な構造物に対しても好適に採用することが可能となる。また、構造物の出入口の間口が多少異なっても防水板固定手段４のスライド部材５のスライド調整にて柔軟に対応できて汎用性が高く、防水板１の長さサイズの種類を抑制できてコスト面において有利である。
【符号の説明】
【００２３】
１…防水板                        ２、３…水密ゴム
４…防水板固定手段                ５…スライド部材
６…支持金具                      ６ａ、６ｂ…折曲面（支持金具）
７…第一の押圧具                  ８…第二の押圧具
Ｇ…門柱                          Ｇ１、Ｇ２…コーナー部壁面（門柱）
【図１】
0005694054.tif 000002
【図２】
0005694054.tif 000003
【図３】
0005694054.tif 000004
【図４】
0005694054.tif 000005
【図５】
0005694054.tif 000006